(57)【要約】      （修正有）【課題】十分な引張強度及び引裂強度を有し、かつ耐久性に優れる表示体用シート材及びこれを用いた表示体を提供する。【解決手段】表示体用シート材１は、樹脂繊維で形成した織布又は不織布からなる補強層２と、補強層２の表面に形成された表面側軟質アクリル樹脂層４と、を有する。【選択図】図１
0003205332.tif 000002
【実用新案登録請求の範囲】
【請求項１】
樹脂繊維で形成した織布又は不織布からなる補強層と、前記補強層の表面に形成された表面側軟質アクリル樹脂層と、を有することを特徴とする表示体用シート材。
【請求項２】
前記補強層の裏面に形成された裏面側軟質アクリル樹脂層を有することを特徴とする請求項１に記載の表示体用シート材。
【請求項３】
前記表面側軟質アクリル樹脂層、又は、前記表面側軟質アクリル樹脂層及び前記裏面側軟質アクリル樹脂層が、加熱溶融ないし半溶融の状態にある軟質アクリル樹脂層を前記補強層と積層一体化して形成されていることを特徴とする請求項１又は２に記載の表示体用シート材。
【請求項４】
請求項１〜３のうちのいずれかに記載の表示体用シート材の表面に、インクジェット印刷により表示された情報を有することを特徴とする表示体。
【考案の詳細な説明】
【技術分野】
【０００１】
本考案は、例えば街路にある電柱やコンクリートの壁面、フェンス面等において街区情報等を表示する表示体を構成する表示体用シート材及びこれを用いた表示体に関する。
【背景技術】
【０００２】
従来から、街区情報等を表示する表示体が屋外において利用されており、この表示体用のシート材として、種々のものが採用されている。
【０００３】
なかでも、現在街路に設置される表示体としては、アルミニウム製のプレートをプレス加工することにより、表示する文字や記号を凹凸で表し、文字等を地面と異なる色相で彩色するものが多い。このため、耐候劣化で彩色が褪せたり、彩色が剥離したりしたとしても、文字等の凹凸が視認できるという利点がある一方で、次のような問題がある。
【０００４】
即ち、アルミニウム製の表示体プレートは、素材としては環境安定性が高く、腐食や劣化が少ない反面、一旦破損が生じると、その部分が鋭利な刃物状となり、人を傷付けるおそれがある。また、文字等の情報や表示体のサイズに変更が必要となる度に、時間をかけて高価なプレス用の金型を作製しなければならず、コストや生産性に劣る。なお、金属製街路灯には、アルミニウム製の表示体プレートは設置できないという法規制もある。
【０００５】
これに対し、例えば、特許文献１（登録実用新案第３０６０３１４号公報）においては、ポリプロピレン、ポリエチレン等のオレフィン系樹脂を以て構成した広告装置が提案されている。この広告装置は、焼却廃棄処分の場合に有毒ガスを発生することのないというものである。
【先行技術文献】
【特許文献】
【０００６】
【特許文献１】登録実用新案第３０６０３１４号公報
【考案の概要】
【考案が解決しようとする課題】
【０００７】
しかしながら、上記特許文献１の広告装置は、引張強度や引裂強度が必ずしも十分ではなく、耐久性の観点から未だ改善の余地があった。即ち、本考案の目的は、十分な引張強度及び引裂強度を有し、かつ耐久性に優れる表示体用シート材及びこれを用いた表示体を提供することにある。
【課題を解決するための手段】
【０００８】
上記の目的を達成するため、本考案は、樹脂繊維で形成した織布又は不織布からなる補強層と、前記補強層の表面に形成された表面側軟質アクリル樹脂層と、を有することを特徴とする表示体用シート材を提供する。このような構成を有する本考案の表示体用シート材は、補強層及び表面側軟質アクリル樹脂層を有することから、十分な引張強度及び引裂強度を有し、かつ耐久性に優れるものである。さらに、樹脂繊維で形成した織布又は不織布からなる補強層には、表面側軟質アクリル樹脂層の構成樹脂が繊維間に浸入(嵌入)して一体性が向上して強度向上に寄与するとともに、補強層を構成する繊維は樹脂製であるため、例えばガラス繊維からなる補強層に比べ、表面側軟質アクリル樹脂層との親和性が高く、前記強度向上の効果を高めることができる。
【０００９】
上記の本考案の表示体用シート材は、前記補強層の裏面に形成された裏面側軟質アクリル樹脂層を有することが好ましい。このような構成を有する本考案の表示体用シート材は、更に裏面側軟質アクリル樹脂層を有することから、より十分な引張強度及び引裂強度を有し、確実に耐久性に優れるものである。
【００１０】
また、上記の本考案の表示体用シート材においては、前記表面側軟質アクリル樹脂層、又は、前記表面側軟質アクリル樹脂層及び前記裏面側軟質アクリル樹脂層が、加熱溶融ないし半溶融の状態にある軟質アクリル樹脂層を前記補強層と積層一体化して形成されていることが好ましい。このような構成を有する本考案の表示体用シート材は、前記表面側軟質アクリル樹脂層及び／又は前記裏面側軟質アクリル樹脂層が、補強層と堅固に一体化されており、更に十分な引張強度及び引裂強度を有し、確実に耐久性に優れるものである。
【００１１】
また、本考案は、上記の本考案の表示体用シート材の表面に、インクジェット印刷により表示された情報を有することを特徴とする表示体を提供するものである。この本考案の表示体は、上記の本考案の表示体用シート材を用いているため、十分な引張強度及び引裂強度を有し、かつ耐久性に優れるものである。
【考案の効果】
【００１２】
本考案によれば、十分な引張強度及び引裂強度を有し、かつ耐久性に優れる表示体用シート材及びこれを用いた表示体を実現することができる。また、万一表示体に破損が生じたとしても、人を傷付ける懸念がなく、さらにその生産工程においても、特殊な金型などを必要とせず、容易に生産できるため、コストや生産性も優れるという利点も奏することができる。
【図面の簡単な説明】
【００１３】
【図１】本考案の表示体用シート材の一実施形態を示す概略断面図である。
【図２】本考案の表示体用シート材の変形例を示す概略断面図である。
【考案を実施するための形態】
【００１４】
以下において、本考案の表示体用シート材の代表的な実施形態を、図面を参照しながら詳細に説明するが、本考案は図示されるものに限られないことは言うまでもない。また、各図面は本考案を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００１５】
図１は、本考案の表示体用シート材の一実施形態を示す概略断面図である。図１に示すように、本実施形態の表示体用シート材１は、略平行な第一の面（表面）及び第二の面（裏面）を有する補強層２と、前記第一の面に設けられた表面側軟質アクリル樹脂層４と、前記第二の面に設けられた裏面側軟質アクリル樹脂層６と、を有している。
【００１６】
これら、補強層２と表面側軟質アクリル樹脂層４は、熱圧成形で積層一体化されており、補強層２と裏面側軟質アクリル樹脂層６も、熱圧成形で積層一体化されているため、表示体用シート材１は、十分な引張強度及び引裂強度を有し、非常に優れた耐久性を発揮する。これらの表面側軟質アクリル樹脂層４又は裏面側軟質アクリル樹脂層６は、部分的に補強層２内に侵入していてもよく、その場合、更に引張強度及び引裂強度が向上し、耐久性も格段に向上する。
【００１７】
ここで、補強層２としては、ポリエステル樹脂をはじめオレフィン系樹脂等の織布や不織布を用いることができ、その目付け量は２０〜１２０ｇ／ｍ２のものが好適である。なかでも６０ｇ／ｍ２前後のものが好ましい。また、メッシュ状またはネット状の織布を用いてもよい。
【００１８】
表面側軟質アクリル樹脂層４又は裏面側軟質アクリル樹脂層６は、通常のアクリル樹脂ではなく、軟質性を有するものであり、その材料の硬度（ＩＳＯ４８）がＡ６０〜１００、引張強さ（ＩＳＯ３７、引張速度５００ｍｍ/ｍｉｎ）が３〜２０ＭＰａ、切断時伸び（ＩＳＯ３７、引張速度５００ｍｍ/ｍｉｎ）が１００〜３００％のものを用いることが好ましく、また、その厚みは０．１〜１．０ｍｍ程度とすることが好ましい。なかでも、厚みは０．４ｍｍ前後であるのが好ましい。このように軟質アクリル樹脂を用いることで、本考案のシート材を表示体とした際に、電柱や凹凸のある壁面などに対しても、その形に応じてフィット感よく表示体を掲出することができる。
【００１９】
なお、図２に示すように、裏面側軟質アクリル樹脂層６は省略してもよい。より確実に本考案の効果を得るためには、裏面側軟質アクリル樹脂層６を設けるのが好ましいが、その他の層を設けてもよい。
【００２０】
その他の層としては、例えば、軟質塩化ビニル樹脂をはじめとする塩化ビニル系樹脂やオレフィン系樹脂、ウレタン樹脂、ポリエステル樹脂、ポリカーボネート樹脂、硬質アクリル樹脂などの合成樹脂やそのエラストマー、天然ゴムを含むゴム類、アルミニウムやステンレスなどの金属類を積層一体化してもよい。
【００２１】
更にまた、酸化鉄粉やフェライト等の磁性体や磁石を、補強層２には混入させたり、補強層２の表面側又は裏面側に積層してもよい。若しくは、表面側軟質アクリル樹脂層４及び／又は裏面側軟質アクリル樹脂層６に混入させてもよい。このように酸化鉄粉やフェライト等の磁性体や磁石を用いると、表示体用シート材１を用いた表示体を設置面に磁着させることもできる。
【００２２】
その他にも、表面側の上面（即ち、表面側軟質アクリル樹脂層４の表面）には、文字や図形、記号を表示する彩色層を設け、その彩色層には通常の顔料や染料のほかに、蓄光顔料を用いてもよい。
【００２３】
また、本実施形態の表示体用シート材１の最表面シリコンやフッ素樹脂などの防汚性の機能層や光触媒性酸化チタンを含有する機能層を設けてもよい。このような構成を採れば、防汚性や防臭性を発揮し得る表示体を得ることができる。
【００２４】
本実施形態の表示体用シート材１を用いた表示体は、引張強さ（ＩＳＯ５２７（ＪＩＳ  Ｋ７１２１  引張り速度：５０ｍｍ/ｍｉｎ）が８〜１２ＭＰａのものを用いることが好ましい。また上記の表示体の厚みは、補強層２、表面側軟質アクリル樹脂層４及び裏面側軟質アクリル樹脂層６の厚みにもよるが、概ね０．８ｍｍ前後であるのが好ましい。
【００２５】
以上のような本実施形態の表示体用シート材１を用いて構成した表示体は、種々の場所に設置して使用することができる。上記表示体用シート材１を用いて構成した表示体を設置場所に設置するに際しては、耐腐蝕性の高いメタルバンドによって締め付け固定したり、表示体にハトメを設けてそれを用いて固定したしりしてもよく、また最裏面に粘着剤や接着剤層を設けて貼着固定してもよい。更に、表示体に枠材を取り付け、枠材を設置場所に固定することも可能である。
【符号の説明】
【００２６】
１・・・表示体用シート材、
２・・・表面側軟質アクリル樹脂層、
４・・・裏面側軟質アクリル樹脂層。
【図１】
0003205332.tif 000003
【図２】
0003205332.tif 000004